【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
入力信号のレベルを制御する自動利得回路と、
前記自動利得回路の出力が入力されている第１及び第２の周波数混合回路と、
前記第１及び第２の周波数混合回路に対してπ／２の位相差を有する局部発振信号を供給するπ／２移相回路と、
前記第１の周波数混合回路の出力を＋π／４移相する第１のπ／４移相回路と、
前記第２の周波数混合回路の出力を−π／４移相する第２のπ／４移相回路と、
前記第１及び第２のπ／４移相回路の出力を加算する合成回路とを集積した集積回路を備え、
可変周波数同調回路を介して前記集積回路へテレビジョン信号を供給することを特徴とするテレビジョン信号受信回路。
【請求項２】
上記π／２移相回路は、移相前後の信号を比較する位相比較器と、前記比較の結果を帰還するπ／２位相制御回路によって構成されていることを特徴とする請求項１に記載のテレビジョン信号受信回路。
【請求項３】
上記合成回路は、入力される第１及び第２の信号のレベル差を検出するレベル検出器と、該レベル検出器の検出結果に基づいて前記第１及び第２の信号のレベルを等レベルで加算する合成器によって構成されていることを特徴とする請求項１、又は２に記載のテレビジョン信号受信回路。
【手続補正２】
【補正対象書類名】明細書
【補正対象項目名】０００１
【補正方法】変更
【補正の内容】
【０００１】
【発明の属する技術分野】
本発明は、複数のチャンネルから選局された放送チャンネルを受信し、中間周波数として出力する際に好適なテレビジョン信号受信回路に係わり、特に、イメージ周波数を効率的に除去することが可能とされている集積化されたテレビジョン信号受信回路に関するものである。


【手続補正３】
【補正対象書類名】明細書
【補正対象項目名】０００７
【補正方法】変更
【補正の内容】
【０００７】
【課題を解決するための手段】
本発明のテレビジョン信号受信回路は上記したような問題点を解決するために
入力信号のレベルを制御する自動利得回路と、前記自動利得回路の出力が入力されている第１及び第２の周波数混合回路と、前記第１及び第２の周波数混合回路に対してπ／２の位相差を有する局部発振周波数信号を供給するπ／２移相回路と、前記第１の周波数混合回路の出力を＋π／４移相する第１のπ／４移相回路と、前記第２の周波数混合回路の出力を−π／４移相する第２のπ／４移相回路と、前記第１及び第２のπ／４移相回路の出力を等レベルで加算する合成回路とを集積した集積回路を備え、可変周波数同調回路を介して前記集積回路に入力されているテレビジョン信号を中間周波数として出力するようにしたものである。


【手続補正４】
【補正対象書類名】明細書
【補正対象項目名】０００９
【補正方法】変更
【補正の内容】
【０００９】
【発明の実施の形態】
本発明の実施の形態について、図１により説明する。
この図においてアンテナ、またはケーブル等を介して入力された放送信号はＴＶ可変周波数同調回路１０において希望の放送チャンネルが選択される。そして選択された例えば周波数がｆD とされた信号が、アナログ回路で構成されている集積回路２０に入力される。
集積回路２０に入力された放送信号は、まずＡＧＣアンプ２１によって所定の信号レベルとなるように増幅され第１及び第２の周波数混合器２２Ａ、２２Ｂに供給される。
第１の周波数混合器２２Ａ及び第２の周波数混合器２２Ｂは局部発振器２３の発振周波数ｆLOを移相するπ／２移相回路２４から、９０度の位相差を有するローカル信号が入力されており、このローカル信号の周波数と入力されている選局チャンネルの周波数の差成分が中間周波数ｆIFとして出力される。


【手続補正５】
【補正対象書類名】明細書
【補正対象項目名】００１０
【補正方法】変更
【補正の内容】
【００１０】
この第１及び第２の周波数混合器から出力される中間周波数は、次に＋π／４移相回路２５Ａ、及び−π／４移相回路にそれぞれ供給され、加算回路２６において等レベルで加算し合成信号としてして中間周波数増幅回路２７に出力される。
なお、２８はＴＶ受信機において使用されている局部発振周波数を形成するためのＰＬＬ（Phase-Locked Loop)  回路であり、基準信号周波数源に基づいて正確な局部発振周波数を形成すると共に、その発振周波数に対応する情報とＡＦＴシステムによる制御によって可変周波数同調回路の通過周波数を微調整するように構成されている。
また、２９はＴＶ受像機の選局操作を行うと共に、全体的のコントロールを行うシステムコントローラを示している。


【手続補正６】
【補正対象書類名】明細書
【補正対象項目名】００１２
【補正方法】変更
【補正の内容】
【００１２】
所望の選局された信号をＡCos （ωs ｔ＋φs ）、イメージ妨害となる周波数をＢCos （ωi ｔ＋φi ）、ローカル周波数をCos （ωL ｔ＋φL ）とすると、
第１の周波数混合器２２Ａの出力周波数ｆMIX(1)は数式１の（１）によって示される。
【数１】
1998327087.tif 000001
そして、上記数式１の演算出力に対してローパスフイルタ等を介して差信号成分のみを抽出すると数式２の（１）に示すような中間周波数ｆIF(1) が出力される。
【数２】
1998327087.tif 000002
【手続補正７】
【補正対象書類名】明細書
【補正対象項目名】００１８
【補正方法】変更
【補正の内容】
【００１８】
位相比較器３４は入力される二つのローカル周波数を乗算する乗算回路によって構成することができ、その演算出力によって二つのローカル信号の位相差がπ／２よりずれている位相誤差（Ｓｉｎ△φ）の値を検出する。そして、その信号をローパスフイルタ３５により平均化して直流信号とし出力し、位相誤差アンプ３６で増幅するとともに、その出力でπ／２移相制御回路３１を制御する、例えば、積分回路に流れる込む電流を制御することにより、π／２移相制御回路３１の移相量を常にπ／２となるようにフイードバック制御している。


【手続補正８】
【補正対象書類名】明細書
【補正対象項目名】００２１
【補正方法】変更
【補正の内容】
【００２１】
【発明の効果】
以上説明したように、本発明のテレビジョン信号受信回路は、半導体集積基板上に受信したＴＶ信号を中間周波数に変換する信号処理回路を備えることによって、回路を構成する素子の絶対的なバラツキをなくするように構成し、しかも、この受信回路にイメージキャンセル方式の回路を取り入れているので、受信回路の小型化を図るとと共に、妨害となるイメージ信号を高い精度で除去する事ができるため、選局用の回路に必要とされているトラップ回路を省略することができるという効果がある。


【手続補正９】
【補正対象書類名】明細書
【補正対象項目名】図面の簡単な説明
【補正方法】変更
【補正の内容】
【図面の簡単な説明】
【図１】本発明のテレビジョン信号受信回路の実施の形態を示すブロック図である。
【図２】テレビジョン信号受信回路に使用される移相回路の原理図を示すブロック図である。
【図３】テレビジョン受信回路に使用できるイメージ周波数をキャンセルする加算回路のブロック図である。
【図４】従来のテレビジョン受信回路のブロック図である。
【図５】イメージ周波数の説明図である。
【図６】イメージキャンセル機能を有するミキシング回路のブロック図である。